(57)【要約】【課題】複製禁止原稿の複製が無制限に行われるのを防止する。【解決手段】画像処理装置１００は、原稿を読み取る読取部１０２と、操作者を撮像可能な位置に配置された撮像部１１８と、読取部１０２が読み取る原稿が複写禁止原稿であるか否かを検知する禁止原稿検知部１０８と、たとえば禁止原稿検知部１０８が原稿が複写禁止原稿であることを検知した場合に、撮像部１１８が撮像した操作者の撮像データを所定の保存先に保存するための処理を行う保存処理部１１２と、読取部１０２が原稿を読み取る際に、撮像部１１８が正常に操作者を撮像できないエラーを検出するエラー検出部１１４と、エラー検出部１１４がエラーを検出した場合に、当該エラーを通知する通知部１１６とを含む。【選択図】図１
2007336158.tif 000002
【特許請求の範囲】
【請求項１】
原稿を読み取る読取部と、
前記読取部が読み取る前記原稿が複写禁止原稿であるか否かを検知する禁止原稿検知部と、
操作者を撮像可能な位置に配置され、前記読取部が原稿を読み取る際に前記操作者を撮像する撮像部と、
前記撮像部が撮像した前記操作者の撮像データを一時的に記憶部する一時記憶部と、
所定の条件下で、前記一時記憶部に記憶された前記撮像データを所定の保存先に保存するための処理を行う保存処理部と、
前記読取部が原稿を読み取る際に、前記撮像部が正常に前記操作者を撮像できないエラーを検出するエラー検出部と、
前記読取部が読み取った原稿に基づき生成された画像データを出力する出力部と、
を含む画像処理装置。
【請求項２】
請求項１に記載の画像処理装置において、
前記所定の条件は、前記禁止原稿検知部が前記原稿が複写禁止原稿であることを検知した場合であって、
前記保存処理部は、前記禁止原稿検知部が前記原稿が複写禁止原稿であることを検知した場合に、前記一時記憶部に記憶された前記撮像データを前記所定の保存先に保存する画像処理装置。
【請求項３】
請求項１または２に記載の画像処理装置において、
前記エラー検出部が前記エラーを検出した場合に、当該エラーを通知する通知部をさらに含む画像処理装置。
【請求項４】
請求項１から３いずれかに記載の画像処理装置において、
前記エラー検出部が前記エラーを検出した場合に、前記原稿に基づき生成された画像データが忠実に再現されないように処理する制御部と、
をさらに含む画像処理装置。
【請求項５】
請求項１から３いずれかに記載の画像処理装置において、
前記エラー検出部が前記エラーを検出するとともに、前記禁止原稿検知部が前記原稿が複写禁止原稿であることを検知した場合に、前記原稿に基づき生成された画像データが忠実に再現されないように処理する制御部と、
をさらに含む画像処理装置。
【請求項６】
請求項１から３いずれかに記載の画像処理装置において、
前記読取部が読み取った原稿をもとの原稿とは異なる状態の画像データに加工する加工部と、
前記エラー検出部が前記エラーを検出した場合に、前記出力部に、前記加工部が加工した前記画像データを出力させる制御部と、
をさらに含む画像処理装置。
【請求項７】
請求項１から３いずれかに記載の画像処理装置において、
前記読取部が読み取った原稿をもとの原稿とは異なる状態の画像データに加工する加工部と、
前記エラー検出部が前記エラーを検出するとともに、前記禁止原稿検知部が前記原稿が複写禁止原稿であることを検知した場合に、前記出力部に、前記加工部が加工した前記画像データを出力させる制御部と、
をさらに含む画像処理装置。
【請求項８】
請求項６または７に記載の画像処理装置において、
前記加工部は、もとの原稿に識別情報が付与された画像データを生成する画像処理装置。
【請求項９】
請求項１から８いずれかに記載の画像処理装置において、
前記一時記憶部は、前記読取部による前記原稿の一度の読み取り動作毎に、前記撮像部が撮像した前記操作者の撮像データを上書き保存するよう構成された画像処理装置。
【請求項１０】
請求項１から９いずれかに記載の画像処理装置において、
前記保存処理部は、前記所定の条件下で、前記一時記憶部に記憶された前記撮像データを装置外の所定の転送先に転送する画像処理装置。
【請求項１１】
請求項１から９いずれかに記載の画像処理装置において、
前記一時記憶部に記憶された前記撮像データを保存する保存部をさらに含み、
前記保存処理部は、前記所定の条件下で、前記一時記憶部に記憶された前記撮像データを前記保存部に保存するとともに、装置外の所定の転送先に転送する画像処理装置。
【発明の詳細な説明】
【技術分野】
【０００１】
本発明は、画像処理装置に関する。
【背景技術】
【０００２】
近年、カラー複写機の性能は飛躍的に向上し、オリジナル原稿と見分けがつかないレベルでの複写が可能となってきている。そのため有価証券や紙幣など複写が禁止されている複写禁止原稿の偽造が簡単に行われてしまう可能性があり、社会的にも問題となっている。
【０００３】
特許文献１には、特定画像の情報を保持する特定画像情報保持手段と、読み取られた画像が上記特定画像と同一であるか否かを判定する判定手段と、操作者に関する画像を取得する画像取得手段とを備えた画像読み取り装置が記載されている。特許文献１には、たとえば読み取られた画像が上記特定画像と同一であると判定された場合に、デジタルカメラにより操作者の顔等を撮影することで、その者を特定することができ、かかる複写行為の再発防止に大きく貢献することが可能となる、と記載されている。
【特許文献１】特開２００１−１３６３２７号公報
【発明の開示】
【発明が解決しようとする課題】
【０００４】
しかし、装置に画像取得手段が備え付けられていても、画像取得手段が正常に動作していなかったり、操作者が意図的に画像が取得できないような操作をした場合等には、操作者の画像を取得することができず、複写禁止原稿の偽造を行う者を特定できないという問題があった。
【０００５】
本発明は、上記背景の下でなされたものであり、その目的は、複製禁止原稿の複製が無制限に行われるのを防止する技術を提供することにある。
【課題を解決するための手段】
【０００６】
本発明によれば、
原稿を読み取る読取部と、
前記読取部が読み取る前記原稿が複写禁止原稿であるか否かを検知する禁止原稿検知部と、
操作者を撮像可能な位置に配置され、前記読取部が原稿を読み取る際に前記操作者を撮像する撮像部と、
前記撮像部が撮像した前記操作者の撮像データを一時的に記憶部する一時記憶部と、
所定の条件下で、前記一時記憶部に記憶された前記撮像データを所定の保存先に保存するための処理を行う保存処理部と、
前記読取部が原稿を読み取る際に、前記撮像部が正常に前記操作者を撮像できないエラーを検出するエラー検出部と、
前記読取部が読み取った原稿に基づき生成された画像データを出力する出力部と、
を含む画像処理装置が提供される。
【０００７】
このようにすれば、原稿を読み取る読取部を含む画像処理装置において、操作者の画像を取得しつつ読み取られた原稿が複写禁止原稿であるか否かを検知することができる。
【０００８】
本発明の画像処理装置において、前記所定の条件は、前記禁止原稿検知部が前記原稿が複写禁止原稿であることを検知した場合とすることができ、前記保存処理部は、前記禁止原稿検知部が前記原稿が複写禁止原稿であることを検知した場合に、前記一時記憶部に記憶された前記撮像データを前記所定の保存先に保存することができる。
【０００９】
これにより、読み取られた原稿が複写禁止原稿である場合には、撮像された操作者の画像が所定の保存先に保存することができる。これにより、複写禁止原稿の読み取り操作を行った操作者を特定することができる。
【００１０】
本発明の画像処理装置は、前記エラー検出部が前記エラーを検出した場合に、当該エラーを通知する通知部をさらに含むことができる。
【００１１】
これにより、操作者の画像が取得できない場合には、エラー通知が行われるため、画像が取得できないような場合に迅速に対処を行うことができる。これにより、複製禁止原稿の複製が無制限に行われるのを防止することができる。
【００１２】
本発明の画像処理装置は、前記エラー検出部が前記エラーを検出した場合に、前記原稿に基づき生成された画像データが忠実に再現されないように処理する制御部をさらに含むことができる。
【００１３】
ここで、「前記原稿に基づき生成された画像データが忠実に再現されないように処理する」とは、たとえば、出力部が画像データを全く出力しないようにする処理や出力部が画像データをそのままの状態で出力しないようにする処理のことである。制御部は、前記原稿に基づき生成された画像データを非忠実な内容で複写する処理を行うこともできる。たとえば、制御部は、読取部または出力部の少なくとも一部の動作を禁止することができる。ここで、読取部の動作は、原稿の読み取り自体や読み取った原稿に基づく画像データの生成である。たとえば、制御部は、読取部がカラースキャンを行うのを禁止することができる。この場合、原稿がカラーであっても、制御部は、読み取り部に低解像度のカラースキャンやモノクロスキャン等を行わせることができる。出力部の動作は、画像データの印刷や画像データの記録、転送である。たとえば、制御部は、出力部がフルカラー印刷や精細印刷をするのを禁止することができる。この場合、制御部は、出力部に画像データをモノクロ印刷や低解像度で印刷させることができる。
【００１４】
本発明の画像処理装置は、前記エラー検出部が前記エラーを検出するとともに、前記禁止原稿検知部が前記原稿が複写禁止原稿であることを検知した場合に、前記原稿に基づき生成された画像データが忠実に再現されないように処理する制御部をさらに含むことができる。
【００１５】
ここで、「前記原稿に基づき生成された画像データが忠実に再現されないように処理する」とは、たとえば、出力部が画像データを全く出力しないようにする処理や出力部が画像データをそのままの状態で出力しないようにする処理のことである。制御部は、前記原稿に基づき生成された画像データを非忠実な内容で複写する処理を行うこともできる。たとえば、制御部は、読取部または出力部の少なくとも一部の動作を禁止することができる。
【００１６】
本発明の画像処理装置は、前記読取部が読み取った原稿をもとの原稿とは異なる状態の画像データに加工する加工部と、前記エラー検出部が前記エラーを検出した場合に、前記出力部に、前記加工部が加工した前記画像データを出力させる制御部と、をさらに含むことができる。
【００１７】
本発明の画像処理装置は、前記読取部が読み取った原稿をもとの原稿とは異なる状態の画像データに加工する加工部と、前記エラー検出部が前記エラーを検出するとともに、前記禁止原稿検知部が前記原稿が複写禁止原稿であることを検知した場合に、前記出力部に、前記加工部が加工した前記画像データを出力させる制御部と、をさらに含むことができる。
【００１８】
本発明の画像処理装置において、前記加工部は、もとの原稿に識別情報が付与された画像データを生成することができる。また、加工部は、画像データを黒色等でベタ塗りした画像データや、牽制文字等が付与された画像データを生成することができる。
【００１９】
本発明の画像処理装置において、前記一時記憶部は、前記読取部による前記原稿の一度の読み取り動作毎に、前記撮像部が撮像した前記操作者の撮像データを上書き保存するよう構成することができる。ここで、一度の読み取り動作毎とは、たとえば「原稿読取」や「スキャン」ボタン等が押される度とすることができる。このようにすれば、所定の条件下では一時記憶部に記憶された撮像データが所定の保存先に保存されるので、必要なデータは当該保存先に保存されるとともに、必要のないデータは上書き保存されていくので、一時記憶部の容量を大きくする必要がなく、データの管理も容易になる。
【００２０】
本発明の画像処理装置において、前記保存処理部は、前記所定の条件下で、前記一時記憶部に記憶された前記撮像データを装置外の所定の転送先に転送することができる。これにより、複製禁止原稿の読み取り後に装置が破壊等された場合でも、そのような操作を行った操作者の画像を確実に取得することができる。
【００２１】
本発明の画像処理装置は、前記一時記憶部に記憶された前記撮像データを保存する保存部をさらに含むことができ、前記保存処理部は、前記所定の条件下で、前記一時記憶部に記憶された前記撮像データを前記保存部に保存するとともに、装置外の所定の転送先に転送することができる。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
上述のように、本発明によれば、複製禁止原稿の複製が無制限に行われるのを防止することができる。
【発明を実施するための最良の形態】
【００２４】
以下、本発明の実施の形態を図面を参照して説明する。
【００２５】
図１は、本実施の形態の画像処理装置を示す機能ブロック図である。画像処理装置１００は、たとえば、複写装置、スキャナ装置、またはＭＦＰ等のネットワークファクシミリ装置等とすることができる。本実施の形態において、画像処理装置１００は、たとえばフルカラー複写装置とすることができる。なお、図１において、本発明の本質に関わらない部分の構成については省略してある。
【００２６】
また、画像処理装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２７】
画像処理装置１００は、読取部１０２、加工部１０４、出力部１０６、禁止原稿検知部１０８、制御部１１０、保存処理部１１２、エラー検出部１１４、通知部１１６、撮像部１１８、画像データ記憶部１２０、一時記憶部１２２、撮像データ保存部１２４、および設定記憶部１２６を含む。
【００２８】
読取部１０２は、原稿を読み取り、カラーまたはモノクロの画像データを生成する。画像データ記憶部１２０は、読取部１０２が生成した画像データを記憶する。出力部１０６は、画像データ記憶部１２０に記憶された画像データをカラーまたはモノクロで出力する。本実施の形態において、出力部１０６は、画像データを紙媒体に印刷する印刷部とすることができる。他の例において、画像処理装置１００は、たとえば印刷部を有しないスキャナ装置とすることもでき、この場合、出力部１０６は、電子データを外部装置に出力する。また、出力部１０６は、電子データを取り外し可能な記録媒体に記録する記録部とすることもできる。
【００２９】
撮像部１１８は、操作者を撮像可能な位置に配置される。撮像部１１８は、操作者の顔を撮像できる位置および方向に配置される。撮像部１１８は、動画または静止画を撮像可能なカメラである。
【００３０】
撮像部１１８が撮像した操作者の画像（以下、撮像データという）は、一時記憶部１２２に一時的に記憶される。一時記憶部１２２に記憶された撮像データは、順次上書きされるようにすることができる。
【００３１】
エラー検出部１１４は、読取部１０２が原稿を読み取る際に、撮像部１１８が正常に操作者を撮像できるか否かを検出し、撮像部１１８が正常に操作者を撮像できないエラーを検出する。ここで、エラー検出部１１４は、たとえば撮像部１１８が物理的に画像処理装置１００に取り付けられているか否かに基づき、エラーを検出することができる。たとえば、エラー検出部１１４は、撮像部１１８のケーブルが引き抜かれているような場合にエラーを検出することができる。また、エラー検出部１１４は、撮像部１１８が取得している画像に基づき、エラーを検出することができる。たとえば、エラー検出部１１４は、撮像部１１８が取得している画像に変化がないような場合にエラーを検出することができる。また、たとえば、エラー検出部１１４は、撮像部１１８が取得している画像の明度が極端に低い等の場合にも、エラーを検出することができる。
【００３２】
通知部１１６は、エラー検出部１１４がエラーを検出した場合に、当該エラーを通知する。通知部１１６は、たとえば予め登録された管理者等にエラーを通知することができる。エラーの通知方法は種々とすることができるが、たとえば電子メール経由やアラーム等により通知することができる。また、通知部１１６は、図示しないディスプレイ等にエラーを表示することもできる。
【００３３】
制御部１１０は、画像処理装置１００の各構成要素を制御する。たとえば、制御部１１０は、エラー検出部１１４がエラーを検出した場合に、通知部１１６に当該エラーを通知する処理を行わせる。制御部１１０の処理は後述する。
【００３４】
禁止原稿検知部１０８は、読取部１０２が読み取る原稿が複写禁止原稿であるか否かを検知する。ここで、複写禁止原稿は、たとえば紙幣等とすることができる。制御部１１０は、禁止原稿検知部１０８が原稿が複写禁止原稿であることを検知すると、通知部１１６にそれを通知する処理を行わせることもできる。この際、通知部１１６は、エラー通知を行うのと同様にして、複写禁止原稿の検知を通知することができる。
【００３５】
保存処理部１１２は、禁止原稿検知部１０８が原稿が複写禁止原稿であることを検知した場合に、撮像データを所定の保存先に保存するための処理を行う。保存処理部１１２は、たとえば、禁止原稿検知部１０８が原稿が複写禁止原稿であることを検知した場合に、一時記憶部１２２に記憶された撮像データを、ネットワーク３００を介して画像処理装置１００外の撮像データ保存装置２００等の所定の転送先に転送する。また、保存処理部１１２は、たとえば、禁止原稿検知部１０８が原稿が複写禁止原稿であることを検知した場合に、一時記憶部１２２に記憶された撮像データを、撮像データ保存部１２４に保存する処理を行う。
【００３６】
なお、本実施の形態において、上述したように、一時記憶部１２２に記憶された撮像データは、順次上書きされる。そのため、禁止原稿検知部１０８が原稿が複写禁止原稿であることを検知しなかった場合には、撮像部１１８が撮像した撮像データは上書きにより順次消去される。
【００３７】
加工部１０４は、読取部１０２が読み取った原稿をもとの原稿とは異なる状態の画像データに加工する。たとえば、加工部１０４は、もとの原稿に識別情報等の付加情報データが添付された画像データを生成する。また、加工部１０４が原稿にこのような付加情報データを付与した場合、保存処理部１１２は、原稿に付された付加情報データを撮像データに対応付けて所定の保存先に保存することができる。このような識別情報を添付することにより、複写禁止原稿が複写されて不正に使用された場合に、識別情報が追跡パターンとして機能し、不正使用者を容易に割り出すことができるようになる。
【００３８】
次に、制御部１１０の処理を説明する。
一例として、制御部１１０は、エラー検出部１１４がエラーを検出した場合に、以下の処理を行うことができる。たとえば、制御部１１０は、読取部１０２の少なくとも一部の動作を禁止する処理を行う。また、たとえば、制御部１１０は、読取部１０２または出力部１０６の少なくとも一部の動作を禁止して、原稿に基づき生成された画像データが複写されないようにすることができる。また、たとえば、制御部１１０は、画像データ記憶部１２０に、加工部１０４が加工した画像データを記憶させるようにすることができる。
【００３９】
また、他の例として、制御部１１０は、エラー検出部１１４がエラーを検出するとともに、禁止原稿検知部１０８が原稿が複写禁止原稿であることを検知した場合に、以下の処理を行うことができる。
【００４０】
たとえば、制御部１１０は、読取部１０２の少なくとも一部の動作を禁止する処理を行う。また、たとえば、制御部１１０は、読取部１０２または出力部１０６の少なくとも一部の動作を禁止して、原稿に基づき生成された画像データが複写されないようにすることができる。
【００４１】
ここで、読取部１０２の動作は、原稿の読み取り自体や読み取った原稿に基づく画像データの生成である。たとえば、制御部１１０は、読取部１０２がカラースキャンを行うのを禁止することができる。この場合、原稿がカラーであっても、制御部１１０は、読み取り部に低解像度のカラースキャンやモノクロスキャン等を行わせることができる。また、出力部１０６の動作は、画像データの印刷や画像データの記録、転送である。たとえば、制御部１１０は、出力部１０６がフルカラー印刷や精細印刷をするのを禁止することができる。この場合、制御部１１０は、出力部１０６に画像データをモノクロ印刷や低解像度で印刷させることができる。
【００４２】
また、たとえば、制御部１１０は、画像データ記憶部１２０に、加工部１０４が加工した画像データを記憶させるようにすることができる。出力部１０６は、画像データ記憶部１２０に記憶された画像データを出力する。
【００４３】
なお、ここでは図示していないが、画像処理装置１００は、ユーザから原稿の読み取り指示やコピー開始指示等を受け付ける指示受付部をさらに含む。
【００４４】
このように構成された画像処理装置１００の動作について以下に説明する。図２は、画像処理装置１００の動作の一例を示すフローチャートである。以下、図１および図２を参照して説明する。
【００４５】
原稿がセットされると（Ｓ１００のＹＥＳ）、撮像部１１８による撮像準備が開始される（Ｓ１０２）。スタートキーが押され、指示受付部が指示を受け付けると（Ｓ１０４のＹＥＳ）、エラー検出部１１４は、撮像部１１８による撮像が可能か否かを判断する（Ｓ１０６）。このとき、エラー検出部１１４は、撮像部１１８による撮像自体が可能か否かに加えて、撮像部１１８が取得した撮像データを撮像データ保存部１２４に保存したり、撮像データ保存装置２００に転送可能か否かも判断することができる。たとえば撮像データ保存部１２４が抜き取られている等により、撮像データ保存部１２４による撮像データの保存が不可能な場合、エラー検出部１１４は、撮像不可と判断することができる。
【００４６】
ステップＳ１０６において、撮像部１１８による撮像が可能な場合（Ｓ１０６のＹＥＳ）、撮像部１１８は、撮像を開始し、撮像データを一時記憶部１２２に記憶する（Ｓ１０８）。つづいて、制御部１１０は、読取部１０２による原稿の読み取りを開始させる（Ｓ１１０）。
【００４７】
読取部１０２が原稿の読み取りを開始すると（Ｓ１１０）、禁止原稿検知部１０８は、読取部１０２が読み取る原稿が複写禁止原稿か否かを検知する（Ｓ１１２）。複写禁止原稿であることが検知されると（Ｓ１１２のＹＥＳ）、制御部１１０および保存処理部１１２は、設定記憶部１２６に記憶された設定に従い、処理を行う。たとえば、制御部１１０は、加工部１０４に指示して、画像データ記憶部１２０に記憶されている画像データに付加情報データを添付する処理を行わせる（Ｓ１１４）。また、保存処理部１１２は、一時記憶部１２２に記憶された撮像データをネットワーク３００を介して撮像データ保存装置２００に転送する処理、または撮像データ保存部１２４に保存する処理のいずれかを行う（Ｓ１１６）。これにより、複写禁止原稿の読み取りが検出されると、その操作を行っている操作者の撮像データが保存されるので、たとえば複写禁止原稿が複写されて不正使用等された際に、不正使用者を容易に割り出すことができる。
【００４８】
ステップＳ１１６の後、またはステップＳ１１２で複写禁止原稿でないことが検知されると（Ｓ１１２のＮＯ）、次の原稿があるか否かを判断し（Ｓ１１８）、次の原稿がない場合（Ｓ１１８のＮＯ）、読み取りを終了する（Ｓ１２０）。この後、撮像部１１８による撮像および一時記憶部１２２への撮像データの記憶を終了する（Ｓ１２２）。一方、ステップＳ１１８で次の原稿がある場合（Ｓ１１８のＹＥＳの場合）、ステップＳ１０６に戻り、同様の処理を繰り返す。
【００４９】
ステップＳ１０６において、撮像部１１８による操作者の撮像が不可能な場合（Ｓ１０６のＮＯ）、制御部１１０は、通知部１１６にエラー通知を行わせる（Ｓ１２４）。つづいて、制御部１１０は、読取部１０２および出力部１０６を制御して、複写動作を中止する（Ｓ１２６）。
【００５０】
以上では、撮像部１１８による操作者の撮像が不可能な場合には、複写動作が中止される例を説明した。しかし、他の例において、撮像部１１８による操作者の撮像が不可能であっても、原稿が複写禁止原稿でない場合は、読み取り処理を行うことができるようにすることができる。以下、このような例を説明する。図３は、画像処理装置１００の動作の他の例を示すフローチャートである。以下、図１から図３を参照して説明する。
【００５１】
ここでは、撮像部１１８による操作者の撮像が不可能な場合の処理が、図２に示した例と異なるが、それ以外は図２に示した例と同様とすることができる。図３のステップＳ２００からステップＳ２２２は、図２のステップＳ１００からステップＳ１２２に対応し、同じ手順の処理が行われる。
【００５２】
ステップＳ２０６において、撮像部１１８による操作者の撮像が不可能な場合（Ｓ２０６のＮＯ）、制御部１１０は、通知部１１６にエラー通知を行わせる（Ｓ２２４）。つづいて、制御部１１０は、読取部１０２による原稿の読み取りを開始させる（Ｓ２２６）。
【００５３】
読取部１０２が原稿の読み取りを開始すると（Ｓ２２６）、禁止原稿検知部１０８は、読取部１０２が読み取る原稿が複写禁止原稿か否かを検知する（Ｓ２２８）。複写禁止原稿であることが検知されると（Ｓ２２８のＹＥＳ）、制御部１１０は、設定記憶部１２６に記憶された設定に従い、処理を行う。たとえば、制御部１１０は、加工部１０４に指示して、画像データ記憶部１２０に記憶されている画像データに付加情報データを添付する処理を行わせたり、または読取部１０２および出力部１０６を制御して、複写動作を中止する（Ｓ２３０）。
【００５４】
ステップＳ２３０の後、またはステップＳ２２８で複写禁止原稿でないことが検知されると（Ｓ２２８のＮＯ）、次の原稿があるか否かを判断し（Ｓ２３２）、次の原稿がない場合（Ｓ２３２のＮＯ）、読み取りを終了する（Ｓ２３４）。以上で処理が終了する。一方、ステップＳ２３２で次の原稿がある場合（Ｓ２３２のＹＥＳの場合）、ステップＳ２０６に戻り、同様の処理を繰り返す。
【００５５】
以上説明したように、本実施の形態によれば、複製禁止原稿の複製が無制限に行われるのを防止することができる。
【００５６】
以上に本発明の好適な実施の形態を説明した。しかし、本発明は上述の実施の形態に限定されず、当業者が本発明の範囲内で上述の実施の形態を変形可能なことはもちろんである。
【００５７】
以上の例では、加工部１０４が付加情報データを添付する処理を説明したが、たとえば、加工部１０４は、読取部１０２が生成した画像データをモノクロに変換したり、低解像度印刷に自動的に切り替えて印刷させる構成としてもよい。
【図面の簡単な説明】
【００５８】
【図１】本発明の実施の形態における画像処理装置の構成を示す機能ブロック図である。
【図２】図１に示した画像処理装置の動作の一例を示すフローチャートである。
【図３】図１に示した画像処理装置の動作の他の例を示すフローチャートである。
【符号の説明】
【００５９】
１００ 画像処理装置
１０２ 読取部
１０４ 加工部
１０６ 出力部
１０８ 禁止原稿検知部
１１０ 制御部
１１２ 保存処理部
１１４ エラー検出部
１１６ 通知部
１１８ 撮像部
１２０ 画像データ記憶部
１２２ 一時記憶部
１２４ 撮像データ保存部
１２６ 設定記憶部
２００ 撮像データ保存装置
３００ ネットワーク
【図１】
2007336158.tif 000003
【図２】
2007336158.tif 000004
【図３】
2007336158.tif 000005